(57)【特許請求の範囲】
【請求項１】
遊技球が流下する遊技領域と、発射装置によって打ち出された遊技球を前記遊技領域へと案内するための発射球案内通路と、が形成された透明な遊技盤を有する遊技機において、
前記遊技盤の表面には、シート材が剥離可能に装着され、
前記遊技盤の裏面側には、複数の識別情報を変動表示する変動表示装置が設けられ、
前記シート材は、
前記遊技盤の表面に前記遊技領域を覆うようにして装着される遊技領域用シート材と、
前記遊技盤の表面に前記発射球案内通路を覆うようにして装着される案内通路用シート材と、
当該シート材を前記遊技盤から取り外すためのつまみ部と、を備えるとともに、裏面に付された粘着材を介して多層に装着され、
前記各シート材の裏面における前記つまみ部の周辺には粘着材が付されない非粘着領域が形成され、
前記非粘着領域の面積は、前記遊技盤に近いシート材ほど小さく、
前記遊技領域用シート材には、その裏面の周縁部のみに粘着材が付され、
前記変動表示装置の表示部は、前記シート材及び前記遊技盤を通して、かつ、前記粘着材が付されていない領域を介して視認可能であることを特徴とする遊技機。
【発明の詳細な説明】
【技術分野】
【０００１】
本発明は、遊技球を用いる遊技機に関するものである。
【背景技術】
【０００２】
遊技場のパチンコ機等の遊技機は、遊技島又は遊技機設置島と呼ばれる設備（以下、「島設備」と称する。）の両面又は片面に複数並べて設けられ、通常はこの島設備内に保有され循環する遊技球によって遊技が行われる（例えば、特許文献１参照）。
【特許文献１】特開２００７−１３５７７３号公報
【発明の開示】
【発明が解決しようとする課題】
【０００３】
遊技球が島設備を循環する過程で遊技者が遊技球に触れること等によって、遊技球は次第に汚れる。その汚れた遊技球が遊技機における発射装置によって発射され、遊技領域を流下することによって、遊技盤の表面が汚れてしまう。
【０００４】
そのため、遊技盤の表面の汚れを定期的に拭き取る作業が必要となり、遊技盤の清掃には大変な労力を要していた。
【０００５】
本発明は、上記の問題点に鑑みてなされたものであり、遊技盤の清掃を簡便に行うことを目的とする。
【課題を解決するための手段】
【０００６】
本発明は、遊技球が流下する遊技領域と、発射装置によって打ち出された遊技球を前記遊技領域へと案内するための発射球案内通路と、が形成された透明な遊技盤を有する遊技機において、前記遊技盤の表面には、シート材が剥離可能に装着され、前記遊技盤の裏面側には、複数の識別情報を変動表示する変動表示装置が設けられ、前記シート材は、前記遊技盤の表面に前記遊技領域を覆うようにして装着される遊技領域用シート材と、前記遊技盤の表面に前記発射球案内通路を覆うようにして装着される案内通路用シート材と、当該シート材を前記遊技盤から取り外すためのつまみ部と、を備えるとともに、裏面に付された粘着材を介して多層に装着され、前記各シート材の裏面における前記つまみ部の周辺には粘着材が付されない非粘着領域が形成され、前記非粘着領域の面積は、前記遊技盤に近いシート材ほど小さく、前記遊技領域用シート材には、その裏面の周縁部のみに粘着材が付され、前記変動表示装置の表示部は、前記シート材及び前記遊技盤を通して、かつ、前記粘着材が付されていない領域を介して視認可能であることを特徴とする。
【発明の効果】
【００１６】
本発明によれば、遊技盤の表面にシート材が装着されるため、汚れた遊技球が遊技領域を流下する場合には、遊技盤は汚れずにシート材が汚れる。そして、このシート材は、遊技盤に対して剥離可能であるため、シート材が汚れた場合には、剥がして新しいシート材に交換することができる。このように、遊技盤の清掃は、シート材を交換するだけで簡便に行うことができる。
【００１７】
また、遊技盤の表面に遊技領域を覆うようにして遊技領域用シート材が装着されるため、遊技球の汚れは遊技領域用シート材に付着し、遊技盤の表面に付着することがない。
【００１８】
また、遊技盤の表面に発射球案内通路を覆うようにして案内通路用シート材が装着されるため、遊技球の汚れが発射球案内通路に付着するのが防止されると共に、遊技領域内に案内される遊技球の汚れを少なくすることができる。
【００１９】
また、シート材には遊技盤から取り外すためのつまみ部が設けられるため、つまみ部を掴み前方へ引っ張ることによって、シート材を遊技盤の表面から簡単に剥がすことができる。
【００２０】
また、シート材は遊技盤の表面に多層に装着されるため、シート材が汚れた場合には、そのシート材を１枚剥がすだけで、きれいなシート材を露出させることができる。このように、遊技盤の清掃は、シート材を剥がすだけで簡便に行うことができる。
【００２１】
また、非粘着領域の面積は、遊技盤に近いシート材ほど小さく形成されるため、汚れたシート材を剥がす場合には、下層のシート材を手で押さえなくても、汚れたシート材のつまみ部を前方へ引っ張ることによって、汚れたシート材を下層のシート材から剥がすことができる。このように、シート材が汚れた場合には、その汚れたシート材のみを簡単に、かつ確実に剥がすことができる。
【００２４】
透明な遊技盤を通じて変動表示装置の表示部を視認するタイプの遊技機の場合、遊技盤が汚れると表示部の視認が妨げられることになるが、本発明によれば、透明なシート材を交換又は剥がすことによって、遊技盤を常に透明な状態に保つことができるため、表示部の視認が妨げられることがなく、遊技者に不快感を与えることがない。
【発明を実施するための最良の形態】
【００２６】
以下、図面を参照して、本発明の実施の形態について説明する。
【００２７】
なお、以下の実施の形態の説明において記す前後左右とは、遊技者から見た、つまり遊技盤に向かって見た方向を指すものとする。
【００２８】
（第１の実施の形態）
図１を参照して、本発明の第１の実施の形態に係る遊技機（パチンコ機）の遊技盤１００について説明する。図１は遊技盤１００の斜視図である。
【００２９】
遊技盤１００は、透明な合成樹脂（例えば、ポリカーボネートやアクリル）からなる矩形状の部材であり、表面に、区画部材としてのガイドレール１０等を設けることで略円形状の遊技領域１１を区画形成している。
【００３０】
遊技機は、遊技者の操作に基づいて発射装置（図示省略）から遊技球を発射させ、遊技領域１１内に流下させることにより遊技を行うものである。遊技者は、カバーガラス（図示省略）を通じて遊技領域１１を視認することができると共に、透明な材質からなる遊技盤１００を通して、その裏面側に配設された変動表示装置（図示省略）の表示部を視認することができる。
【００３１】
遊技盤１００の前面であってガイドレール１０で囲まれた遊技領域１１の外側には、不透明な材質からなる遊技盤前面構成部材２が取り付けられ、遊技領域１１以外から遊技機の内部が見えないようになっている。
【００３２】
変動表示装置は、表示部に複数の変動表示領域（例えば、左側、中央、右側の３つの可変表示領域等）を設定して各表示領域の各々で独立して画像表示がなされる表示装置である。本実施の形態では、例えば、任意の画像を表示可能なＬＣＤ（液晶表示器）等で表示画面部分が構成され、この表示画面上の各変動表示領域には複数の識別情報（特別図柄）や変動表示ゲームを演出するキャラクタ等、遊技の進行に基づく画像が表示される。
【００３３】
遊技領域１１には、遊技盤１００の表面から前方に立設し遊技球を案内するガイド２１が配設される。ガイド２１は、ガイドレール１０に沿って円弧状に形成された中央ガイド２１ａと、中央ガイド２１ａの左右両端から中央ガイド２１ａとは逆向きに湾曲して形成された左側部ガイド２１ｂ、右側部ガイド２１ｃとからなる。
【００３４】
左側部ガイド２１ｂ及び右側部ガイド２１ｃの下端には、遊技領域１１を流下する遊技球を遊技盤１００裏面に配設されたステージ７に導くためのワープ通路５が配設される。
【００３５】
遊技領域１１におけるガイド２１の下方でかつ遊技領域１１の略中央には、ステージ７を転動した遊技球を遊技領域１１へと排出するため排出口６が開口して配設される。排出口６は、左右方向に開口して形成された第１排出口６ａと、第１排出口６ａの下方に配設され遊技球１個程度が通過可能な第２排出口６ｂとを備える。
【００３６】
ガイド２１と第１排出口６ａによって区画された領域を通じて、変動表示装置の表示部の変動表示領域が視認可能となる。
【００３７】
遊技領域１１における第２排出口６ｂの直下方には、普通変動入賞装置（普通電動役物）２３を有するチューリップタイプの変動表示始動口２４が配設される。この始動口２４の下方には、変動表示装置の作動結果によって遊技球を受け入れない状態と受け入れ易い状態とに変換可能な特別変動入賞装置（大入賞口）２５が配設される。また、遊技領域１１における左側部ガイド２１ｂの左側方には、普図変動表示ゲームの普通図柄始動ゲート２６が配設される。
【００３８】
遊技領域１１における排出口６の右側には、特図変動表示ゲームの特別図柄の変動表示、特別図柄入賞記憶数（始動記憶数）、普図変動表示ゲームの普通図柄の変動表示、及び普通図柄入賞記憶数を表示する遊技状態表示器（図示省略）が配設され、透明な遊技盤１００を通して視認することができる。
【００３９】
遊技領域１１における始動口２４の左右両側方には、遊技球が入賞した場合に賞球を払い出す条件だけが成立する一般入賞口２７が配設される。
【００４０】
遊技盤１００の左側部には、ガイドレール１０の内側に沿って発射レール３２が配設され、ガイドレール１０と発射レール３２とによって、発射装置によって打ち出された遊技球を遊技領域１１へと案内する発射球案内通路３１が区画される。
【００４１】
遊技領域１１には、この他に、遊技球の落下方向を変える風車２８や釘２９等の方向変換部材、入賞せずに流下した遊技球を回収するアウト口３０、及び発光により各種の装飾表示を行うランプ・ＬＥＤ（図示省略）が配設される。
【００４２】
発射装置によって打ち出された遊技球は、発射球案内通路３１から遊技領域１１内に案内され、遊技領域１１内の各所に配置された方向変換部材によって落下方向を変えながら遊技領域１１を流下する。そして、始動口２４、一般入賞口２７、又は特別変動入賞装置２５に入賞するか、遊技領域１１の最下部に設けられたアウト口３０から排出される。始動口２４、一般入賞口２７、特別変動入賞装置２５に遊技球が入賞すると、入賞した入賞口の種類に応じた数の賞球が払出装置（図示省略）から排出される。
【００４３】
遊技領域１１を流下する遊技球のなかで、ワープ通路５に流入しステージ７に導かれる遊技球はステージ７上を転動する。ステージ７は、左右両端部から中央に向かって下り傾斜して形成されると共に、中央部には山状に隆起した頂部７ａが形成される。ステージ７の中央部に山状の頂部７ａが形成されることによって、頂部７ａの左右には谷部７ｂが形成される。このようにステージ７は、波状に形成される。頂部７ａには開口部８が形成される。
【００４４】
ステージ７上を転動し開口部８に落下した遊技球は、第２排出口６ｂを通じて遊技領域１１に流下する。第２排出口６ｂは、始動口２４の直上に配設されるため、第２排出口６ｂから遊技領域１１に流下する遊技球は、始動口２４へ入賞する可能性が高くなる。
【００４５】
また、ステージ７の谷部７ｂは、前方に向かって下り傾斜して形成されるため、ステージ７上を転動する遊技球のうち、開口部８に落下しない遊技球のほとんどは、谷部７ｂにて転動方向を前方に変え、第１排出口６ａを通じて遊技領域１１に流下する。谷部７ｂから遊技領域１１に流下する遊技球は、始動口２４へ入賞する可能性が低くなる。
【００４６】
始動口２４に遊技球が入賞すると、変動表示装置では、前述した数字等で構成される識別情報が順に変動表示する変動表示ゲームが開始され、変動表示ゲームに関する画像が表示される。
【００４７】
始動口２４への遊技球の入賞が所定のタイミングでなされたときには大当たり状態となり、三つの表示図柄が揃った状態（大当たり図柄）で停止する。このとき、特別変動入賞装置２５は、大入賞口ソレノイド（図示省略）への通電によって、大入賞口が所定の時間だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者には、多くの遊技球を獲得することができるという遊技価値が付与される。
【００４８】
また、普通図柄始動ゲート２６を遊技球が通過すると、遊技状態表示器で普図変動表示ゲームが開始される。普通図柄始動ゲート２６への遊技球の通過が所定のタイミングでなされたときには普通図柄に関する当たり状態となり、遊技状態表示器に表示される普通図柄が当たり状態で停止する。このとき、始動口２４に設けられた普通変動入賞装置２３は、普通電動役物ソレノイド（図示省略）への通電によって、始動口２４への入口が所定の時間だけ拡開するように変換され、始動口２４への遊技球の入賞可能性が高められる。
【００４９】
遊技機におけるこのような遊技は、島設備内に保有され循環する遊技球によって行われる。遊技球は、島設備を循環する過程で遊技者によって直接触れられるため、次第に汚れる。汚れた遊技球が遊技領域１１を流下することによって、透明な遊技盤１００の表面に汚れが付着するため、遊技者は、遊技盤１００を通じて変動表示装置の表示部を視認し難くなる。
【００５０】
この対策として、遊技盤１００の表面には、シート材４０が装着される。以下では、主に図２及び図３を参照して、シート材４０について説明する。
【００５１】
シート材４０は、遊技盤１００における遊技領域１１に装着される遊技領域用シート材４０Ａと、遊技盤１００における発射球案内通路３１に装着される案内通路用シート材４０Ｂとを備える。図２は遊技領域用シート材４０Ａの正面図であり、図３は案内通路用シート材４０Ｂの正面図である。
【００５２】
遊技領域用シート材４０Ａは、透明な合成樹脂からなるシート状の部材であり、遊技領域１１とほぼ同形状に形成され、裏面に付された糊等の粘着材を介して、遊技盤１００の表面に遊技領域１１を覆うようにして装着される。遊技領域用シート材４０Ａは透明であるため、遊技領域用シート材４０Ａが遊技盤に装着された状態でも、遊技者は、遊技領域用シート材４０Ａ及び遊技盤１００を通して変動表示装置の表示部を視認することができる。
【００５３】
遊技領域用シート材４０Ａには、遊技盤１００の表面に配設される各部材に対応する位置に、その各部材と同等な形状の開口部が複数形成される。具体的には、排出口６に対応する開口部４１ａ、ガイド２１に対応する開口部４１ｂ、始動口２４に対応する開口部４１ｃ、普通図柄始動ゲート２６に対応する開口部４１ｄ、風車２８に対応する開口部４１ｅ、釘２９に対応する開口部４１ｆ等が形成される。
【００５４】
遊技盤１００における遊技領域１１の中央上部、左端部、及び右端部には、位置決めピン４２ａ、４２ｂ、４２ｃが配設され、遊技領域用シート材４０Ａの外縁には、位置決めピン４２ａ〜４２ｃに対応する位置に切欠部４３ａ〜４３ｃが形成される。
【００５５】
遊技領域用シート材４０Ａは、遊技領域用シート材４０Ａの形状に対応する型彫り形状を有する金型にてシート状の合成樹脂を打ち抜くことによって製造される。
【００５６】
遊技盤１００の組み立ては、遊技盤１００に何も配設せず遊技盤１００の表面が平滑な状態で、遊技盤１００に配設された位置決めピン４２ａ〜４２ｃに切欠部４３ａ〜４３ｃを係合させ、遊技領域用シート材４０Ａを遊技盤１００に対して位置決めする。なお、遊技領域用シート材４０Ａは、遊技盤１００に対する位置決めのし易さを考慮して、ある程度の剛性を有する材質にて構成するのが望ましい。
【００５７】
次に、遊技領域用シート材４０Ａを、位置決めピン４２ａ〜４２ｃに沿って遊技盤１００の表面に向けて移動させ、裏面の粘着材を介して遊技盤１００の表面に遊技領域１１を覆うようにして装着する。なお、位置決めピン４２ａ〜４２ｃは、基端側から先端側に向かって先細に形成されるため、位置決めピン４２ａ〜４２ｃに対する切欠部４３ａ〜４３ｃの係合及び移動を容易に行うことができる。
【００５８】
そして、遊技領域用シート材４０Ａの各開口部４１ａ〜４１ｆを通じて、排出口６、ガイド２１、始動口２４、普通図柄始動ゲート２６、風車２８、釘２９等の各部材を遊技盤１００の表面に取り付ける。
【００５９】
このように、排出口６等の各部材を取り付ける前に、遊技領域用シート材４０Ａを装着することによって、遊技盤１００の表面が平滑な状態で遊技領域用シート材４０Ａを装着することができるため、遊技領域用シート材４０Ａの装着が容易となる。
【００６０】
なお、遊技領域用シート材４０Ａの裏面の粘着材は、遊技領域用シート材４０Ａ裏面の周縁部のみに付すのが望ましい。このように粘着材を付すことによって、粘着材によって変動表示装置の表示部の視認が妨げられることがない。
【００６１】
また、遊技者は、遊技領域用シート材４０Ａ及び遊技盤１００を通じて変動表示装置の表示部を視認するため、遊技領域用シート材４０Ａに反射防止加工を施すか、又は遊技領域用シート材４０Ａに透明な反射防止フィルムを貼るのが望ましい。
【００６２】
以上のように、遊技領域１１における遊技球が通過する遊技盤１００の表面には遊技領域用シート材４０Ａが装着されるため、遊技球の汚れは遊技領域用シート材４０Ａに付着し、遊技盤１００の表面に付着することがない。
【００６３】
遊技領域用シート材４０Ａの外縁には、遊技領域用シート材４０Ａを遊技盤１００から取り外すためのつまみ部４６が突出して設けられる。つまみ部４６には粘着材が付されておらず、つまみ部４６は、どこにも装着されない。
【００６４】
したがって、つまみ部４６を掴み前方へ引っ張ることによって、遊技領域用シート材４０Ａを遊技盤１００の表面から剥がすことができる。このように、遊技領域用シート材４０Ａは、遊技盤１００の表面に剥離可能に装着される。
【００６５】
つまみ部４６は、遊技を妨害しないように、図１に示すように、発射レール３２の内周壁に沿って配置される。また、つまみ部４６の上方には釘２９ａ（方向変換部材）が配設される。これにより、つまみ部４６への遊技領域１１を流下する遊技球の接触を防止することができるため、つまみ部４６の損傷、及び遊技領域用シート材４０Ａの剥がれを防止することができる。なお、つまみ部４６は、ガイドレール１０の内周壁に沿って配置するようにしてもよい。
【００６６】
以上のように、遊技領域用シート材４０Ａは、遊技盤１００に対して着脱可能に装着される。したがって、遊技領域用シート材４０Ａが汚れた場合には、遊技領域用シート材４０Ａを遊技盤１００の表面から剥がし、新しい遊技領域用シート材４０Ａを遊技盤１００の表面に装着することができる。このように、遊技領域用シート材４０Ａが汚れた場合には、新しい遊技領域用シート材４０Ａに交換するだけで、遊技盤１００の清掃を簡便に行うことができる。
【００６７】
新しい遊技領域用シート材４０Ａに交換する場合には、遊技盤１００の表面に配設された排出口６等の各部材が遊技領域用シート材４０Ａの各開口部４１ａ〜４１ｆを挿通するようにして、遊技領域用シート材４０Ａを遊技盤１００の表面に装着する。
【００６８】
案内通路用シート材４０Ｂは、遊技領域用シート材４０Ａとは別体に形成され、透明な合成樹脂からなるシート状の部材であり、発射球案内通路３１とほぼ同形状に形成され、裏面に付された糊等の粘着材を介して、遊技盤１００の表面に発射球案内通路３１を覆うようにして装着される。
【００６９】
発射球案内通路３１に案内通路用シート材４０Ｂを装着することによって、発射装置によって打ち出された遊技球の汚れは、案内通路用シート材４０Ｂに付着する。したがって、遊技領域１１内に発射される遊技球の汚れを少なくすることができる。
【００７０】
このように、案内通路用シート材４０Ｂは、遊技球の汚れが発射球案内通路３１に付着するのを防止すると共に、遊技領域１１内に案内される遊技球の汚れを少なくするためのものである。
【００７１】
案内通路用シート材４０Ｂは、遊技領域用シート材４０Ａと同様に、発射球案内通路３１に対して着脱可能に装着される。したがって、案内通路用シート材４０Ｂが汚れた場合には、案内通路用シート材４０Ｂを発射球案内通路３１の表面から剥がし、新しい案内通路用シート材４０Ｂを発射球案内通路３１の表面に装着することができる。このように、案内通路用シート材４０Ｂが汚れた場合には、新しい案内通路用シート材４０Ｂに交換することができる。
【００７２】
なお、案内通路用シート材４０Ｂを、発射球案内通路３１を通る遊技球の汚れを清掃可能な研磨材、例えば不織布等にて形成してもよい。案内通路用シート材４０Ｂを研磨材にて形成すれば、案内通路用シート材４０Ｂを透明にすることができない場合がある。その場合でも、発射球案内通路３１は、遊技盤１００の側部に配置されるため、変動表示装置の表示部の視認を妨げることはない。案内通路用シート材４０Ｂを研磨材にて形成することによって、発射球案内通路３１を通る遊技球は、案内通路用シート材４０Ｂによって磨かれるため、遊技領域１１内に案内される遊技球の汚れを、より少なくすることができる。したがって、遊技領域用シート材４０Ａの汚れを防止し、遊技領域用シート材４０Ａの交換の頻度を少なくすることができる。なお、研磨材は、案内通路用シート材４０Ｂの表面のみに形成するようにしてもよい。
【００７３】
また、案内通路用シート材４０Ｂは、遊技領域用シート材４０Ａと一体に形成するようにしてもよい。
【００７４】
また、案内通路用シート材４０Ｂに、遊技領域用シート材４０Ａと同様に、遊技盤１００から取り外すためのつまみ部を設けてもよい。
【００７５】
以上の本第１の実施の形態によれば、以下に示す効果を奏する。
【００７６】
遊技盤１００の表面には遊技領域１１を覆うようにして遊技領域用シート材４０Ａが装着されるため、汚れた遊技球が遊技領域１１を流下する場合には、遊技盤１００の表面は汚れずに遊技領域用シート材４０Ａが汚れる。また、遊技盤１００の表面には発射球案内通路３１を覆うようにして案内通路用シート材４０Ｂが装着されるため、遊技球の汚れは発射球案内通路３１に付着せず案内通路用シート材４０Ｂが汚れると共に、遊技領域１１内に案内される遊技球の汚れを少なくすることができる。
【００７７】
また、遊技領域用シート材４０Ａ及び案内通路用シート材４０Ｂは、遊技盤１００の表面から剥離可能であるため、それぞれのシート材４０Ａ、４０Ｂが汚れた場合には新しいシート材４０Ａ、４０Ｂに交換することができる。このように、遊技盤１００の清掃は、遊技領域用シート材４０Ａ及び案内通路用シート材４０Ｂを交換するだけで簡便に行うことができる。
【００７８】
このように、遊技領域用シート材４０Ａ及び案内通路用シート材４０Ｂを交換することによって、遊技盤１００を常に透明な状態に保つことができるため、遊技盤１００の裏面側に変動表示装置の表示部が配置されるタイプの遊技機であっても、表示部の視認が妨げられることがなく、遊技者に不快感を与えることがない。
【００７９】
なお、本第１の実施の形態では、島設備内に保有され循環する遊技球によって行われる遊技機について説明したが、本発明は、遊技機本体内に所定数封入した遊技球を、発射装置から遊技領域に発射して遊技を行う一方、遊技を終えた遊技球を回収し発射装置に導いて遊技球を循環使用する封入球式遊技機にも適用することができる。
【００８０】
封入球式遊技機の場合、汚れた遊技球を定期的に磨くために遊技球を外部へと排出するための機構を遊技機に設ける必要があった。しかし、本発明を封入球式遊技機に適用した場合には、遊技球が汚れても、遊技領域用シート材４０Ａ及び案内通路用シート材４０Ｂを交換するだけでよく、遊技球を外部に排出して定期的に磨く必要がない。したがって、汚れた遊技球を磨くために遊技球を外部へと排出するための特別な機構を遊技機に設ける必要がなく、遊技機の構造を簡素化することができる。
【００８１】
また、本第１の実施の形態は、遊技盤１００が透明な材質で構成され、遊技盤１００の裏面側に変動表示装置の表示部が配置されるタイプの遊技機について説明したが、本発明は、遊技盤１００に開口部が形成され、その開口部に変動表示装置の表示部が配置されるタイプの遊技機にも適用することができる。
【００８２】
（第２の実施の形態）
図４及び図５を参照して、本発明の第２の実施の形態に係る遊技機の遊技盤２００について説明する。図４は遊技盤２００の正面図であり、図５は遊技領域用シート材４０Ａの斜視図である。
【００８３】
なお、以下の説明において、上記第１の実施の形態に用いた符号と同一の符号は、第１の実施の形態にて説明した部材と同一の部材を指すものとし、説明を省略する。
【００８４】
本第２の実施の形態における上記第１の実施の形態との相違点は、遊技領域用シート材４０Ａが遊技盤２００の表面に多層に装着される点である。本第２の実施の形態では、３層積層した場合を例にとって説明する。
【００８５】
遊技盤２００の表面には遊技領域１１を覆うようにして１層目の第１遊技領域用シート材４０１Ａが装着され、第１遊技領域用シート材４０１Ａ上には２層目の第２遊技領域用シート材４０２Ａが装着され、第２遊技領域用シート材４０２Ａ上には３層目の第３遊技領域用シート材４０３Ａが装着され、以下、所望の枚数だけ遊技領域用シート材４０Ａが装着される。各遊技領域用シート材４０１Ａ，４０２Ａ，４０３Ａは、上記第１の実施の形態と同様に、裏面に付された糊等の粘着材を介して装着される。なお、以下において、第１遊技領域用シート材４０１Ａ，第２遊技領域用シート材４０２Ａ，及び第３遊技領域用シート材４０３Ａを総称する場合には、「遊技領域用シート材４０Ａ」と称する。
【００８６】
各遊技領域用シート材４０１Ａ，４０２Ａ，４０３Ａの外縁には、上記第１の実施の形態と同様に、各遊技領域用シート材４０１Ａ，４０２Ａ，４０３Ａを取り外すためのつまみ部４６１，４６２，４６３が突出して設けられる。
【００８７】
したがって、つまみ部４６３を掴み前方へ引っ張ることによって、第３遊技領域用シート材４０３Ａを第２遊技領域用シート材４０２Ａの表面から剥がすことができ、つまみ部４６２を掴み前方へ引っ張ることによって、第２遊技領域用シート材４０２Ａを第１遊技領域用シート材４０１Ａの表面から剥がすことができ、つまみ部４６１を掴み前方へ引っ張ることによって、第１遊技領域用シート材４０１Ａを遊技盤１００の表面から剥がすことができる。
【００８８】
このように、各遊技領域用シート材４０１Ａ，４０２Ａ，４０３Ａは、遊技盤２００に対して取り外し可能に装着される。したがって、遊技領域１１に露出する最上層の第３遊技領域用シート材４０３Ａが汚れた場合には、第３遊技領域用シート材４０３Ａを剥がすことによって、きれいな第２遊技領域用シート材４０２Ａを遊技領域１１に露出させることができる。そして、第２遊技領域用シート材４０２Ａが汚れた場合には、第２遊技領域用シート材４０２Ａを剥がすことによって、きれいな第１遊技領域用シート材４０１Ａを遊技領域１１に露出させることができる。
【００８９】
このように、遊技領域用シート材４０Ａが遊技盤２００の表面に取り外し可能に多層に装着されるため、遊技領域用シート材４０Ａが汚れた場合には、遊技領域用シート材４０Ａを交換する必要がなく、遊技領域用シート材４０Ａを１枚剥がすだけで、きれいな遊技領域用シート材４０Ａを遊技領域１１に露出させることができる。このように、遊技盤２００の清掃は、遊技領域用シート材４０Ａを剥がすだけで簡便に行うことができる。
【００９０】
各遊技領域用シート材４０１Ａ，４０２Ａ，４０３Ａのつまみ部４６１，４６２，４６３は、図４に示すように、発射レール３２の内周壁に沿って、かつ、それぞれ重ならないように配置される。各つまみ部４６１，４６２，４６３には、それぞれの層数に対応する数字が印字されており、遊技領域用シート材４０Ａが汚れた場合に、つまみ部４６１，４６２，４６３のうち、どのつまみ部を掴み前方へ引っ張るべきかが一目でわかるようになっている。具体的には、第３遊技領域用シート材４０３Ａのつまみ部４６３には「３」が印字され、第２遊技領域用シート材４０２Ａのつまみ部４６２には「２」が印字され、第１遊技領域用シート材４０１Ａのつまみ部４６１には「１」が印字される。
【００９１】
最上層の第３遊技領域用シート材４０３Ａの裏面におけるつまみ部４６３の周辺には粘着材が付されない非粘着領域が形成される。また、第２遊技領域用シート材４０２Ａの裏面におけるつまみ部４６２周辺の非粘着領域は、第３遊技領域用シート材４０３Ａの非粘着領域よりも小さい。さらに、第１遊技領域用シート材４０１Ａの裏面におけるつまみ部４６１周辺の非粘着領域は、第２遊技領域用シート材４０２Ａの非粘着領域よりも小さい。このように、下層の遊技領域用シート材４０Ａほど、つまり、遊技盤２００に近い遊技領域用シート材４０Ａほど、非粘着領域の面積は小さく形成される。
【００９２】
各遊技領域用シート材４０１Ａ，４０２Ａ，４０３Ａにおける非粘着領域をこのように形成することによって、例えば、第３遊技領域用シート材４０３Ａを第２遊技領域用シート材４０２Ａから剥がす場合、つまみ部４６３を用いて第３遊技領域用シート材４０３Ａにおける非粘着領域の部分を剥がしても、第２遊技領域用シート材４０２Ａにおける露出した部分は、粘着材を介して第１遊技領域用シート材４０１Ａに装着された状態となる。したがって、第２遊技領域用シート材４０２Ａを手で押さえなくても、第３遊技領域用シート材４０３Ａのつまみ部４６３をそのまま前方へ引っ張ることによって第３遊技領域用シート材４０３Ａを第２遊技領域用シート材４０２Ａの表面から剥がすことができる。このように、遊技領域用シート材４０Ａが汚れた場合には、その汚れた遊技領域用シート材４０Ａのみを簡単に、かつ確実に剥がすことができる。
【００９３】
なお、本第２の実施の形態では、遊技領域用シート材４０Ａを多層に装着する場合について説明したが、案内通路用シート材４０Ｂを多層に装着することも当然可能である。
【００９４】
本発明は上記の実施の形態に限定されずに、その技術的な思想の範囲内において種々の変更がなしうることは明白である。
【産業上の利用可能性】
【００９５】
本発明の遊技機は、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【図面の簡単な説明】
【００９６】
【図１】本発明の第１の実施の形態に係る遊技機の遊技盤の斜視図である。
【図２】遊技領域用シート材の正面図である。
【図３】案内通路用シート材の正面図である。
【図４】本発明の第２の実施の形態に係る遊技機の遊技盤の正面図である。
【図５】遊技領域用シート材の正面図である。
【符号の説明】
【００９７】
１００，２００  遊技盤
１１      遊技領域
２１      ガイド
２９ａ    釘
３１      発射球案内通路
３２      発射レール
４０      シート材
４０Ａ    遊技領域用シート材
４０Ｂ    案内通路用シート材
４１ａ〜４１ｆ  開口部
４２ａ〜４２ｃ  位置決めピン
４３ａ〜４３ｃ  切欠部
４６      つまみ部
４０１Ａ  第１遊技領域用シート材
４０２Ａ  第２遊技領域用シート材
４０３Ａ  第３遊技領域用シート材
４６１〜４６３  つまみ部
【図１】
0005192746.tif 000002
【図２】
0005192746.tif 000003
【図３】
0005192746.tif 000004
【図４】
0005192746.tif 000005
【図５】
0005192746.tif 000006